(57)【要約】【課題】結束バンドの締付け作業及び固定具の取付を、より簡易かつ位置精度よく行えるようにすること。【解決手段】ワイヤーハーネスの分岐部分を載置状に支持可能な受部１４と、固定具５０を位置決め支持可能な固定具支持部２０と、分岐線を案内支持する一対の支持棒３２ａとを備える。受部１４には、結束バンド６０を固定具５０のバンド挿通孔５８ａに向けて案内する案内路１６が形成されている。結束バンド６０を案内路１６に挿通することで、結束バンド６０をバンド挿通孔５８ａに通して分岐元線に巻回すことができる。固定具支持部２０の端部側に、バンド締付け具７０を配置可能な締付作業領域Ｅが設けられており、分岐部分を受部１４で支持しかつ固定具５０を固定具支持部２０で支持した状態で、バンド締付け具７０による結束バンド６０の締付けが可能である。【選択図】図５
2008282704.tif 000002
【特許請求の範囲】
【請求項１】
分岐元線の途中から分岐線が分岐するワイヤーハーネスの分岐部分を結束するためのワイヤーハーネスの分岐部分結束用治具であって、
前記分岐部分を載置状に支持可能な受部と、
前記ワイヤーハーネス固定用の固定具を、前記受部で支持される前記分岐部分の分岐元線に対して前記分岐線とは反対側で位置決め支持可能な固定具支持部と、
前記受部で支持される前記分岐部分の分岐線を案内支持する一対の支持棒と、
を備え、
前記受部には、結束バンドを前記固定具支持部に支持される前記固定具のバンド挿通孔に向けて案内する案内路が形成され、
前記固定具支持部の端部側に、バンド締付け具を、前記結束バンドを締付ける位置に配置可能な締付作業領域が設けられている、ワイヤーハーネスの分岐部分結束用治具。
【請求項２】
請求項１記載のワイヤーハーネスの分岐部分結束用治具であって、
前記固定具支持部は、前記固定具の両側部分に係止して前記固定具を支持可能に形成され、前記固定具支持部の長さ寸法が、前記固定具のうち前記固定具支持部で係止される部分を越えると共に、前記固定具支持部で支持された前記固定具を越えない程度の寸法に設定されている、ワイヤーハーネスの分岐部分結束用治具。
【請求項３】
請求項１又は請求項２記載のワイヤーハーネスの分岐部分結束用治具であって、
前記固定具支持部は、前記固定具の鍔状部分の両側部分に係止する、ワイヤーハーネスの分岐部分結束用治具。
【請求項４】
請求項１〜請求項３のいずれかに記載のワイヤーハーネスの分岐部分結束用治具であって、
前記一対の支持棒は、ワイヤーハーネスの直線状部分を保持可能に形成された略Ｕ字状の保持具の一部であり、
前記受部と前記固定具支持部とは一体形成されると共に、前記受部に前記一対の支持棒を挿通可能な一対の装着孔が形成され、
前記一対の支持棒が前記一対の装着孔に挿通されることで、前記受部と前記固定具支持部とが前記保持具に装着された、ワイヤーハーネスの分岐部分結束用治具。
【請求項５】
請求項１〜請求項４のいずれかに記載のワイヤーハーネスの分岐部分結束用治具であって、
前記案内路は、前記分岐線が延出する側に開口する前記結束バンド挿入用の導入口を有する、ワイヤーハーネスの分岐部分結束用治具。
【請求項６】
請求項１〜請求項５のいずれかに記載のワイヤーハーネスの分岐部分結束用治具であって、
前記案内路は、一対の前記結束バンドを前記固定具支持部に支持される前記固定具のバンド挿通孔に向けて略平行姿勢で案内する、ワイヤーハーネスの分岐部分結束用治具。
【請求項７】
請求項１〜請求項６のいずれかに記載のワイヤーハーネスの分岐部分結束用治具を用いたワイヤーハーネスの製造方法であって、
前記分岐部分を前記受部で載置状に支持すると共に前記分岐線を前記一対の支持棒で案内支持する工程と、
前記前記固定具を前記固定具支持部で支持する工程と、
前記結束バンドを、前記案内路を経由して前記固定具のバンド挿通孔に通しつつ、前記分岐部分の両側で前記分岐元線周りに配設する工程と、
前記分岐部分を前記受部で載置状に支持したままの状態で、前記バンド締付け具を前記締付作業領域に配設して、前記結束バンドを締付ける工程と、
を備えたワイヤーハーネスの製造方法。
【発明の詳細な説明】
【技術分野】
【０００１】
この発明は、ワイヤーハーネスの分岐部分を結束する技術に関する。
【背景技術】
【０００２】
自動車等に搭載されるワイヤーハーネスには、略Ｔ字状の分岐部分が存在している。
【０００３】
従来では、そのようなワイヤーハーネスを製造するにあたっては、複数の電線を所定の布線形態に従って電線保持具上に布線した後、分岐部分を電線保持具から外して粘着テープを巻付けて結束し、その分岐形態を保持していた。
【０００４】
また、ワイヤーハーネスを車体等に取付けるにあたっては、各分岐部分間にクランプ部材を取付け、当該クランプ部材を介して車体への取付を行っていた。
【０００５】
しかしながら、ワイヤーハーネスの分岐部分を電線保持具から外して結束作業を行うと、当初の布線形態からずれが生じ、寸法品質が安定し難いという問題がある。また、各分岐部分間に取付けられたクランプ部材を介して、ワイヤーハーネスを車体に取付ける構成では、ワイヤーハーネスの分岐部分が車体に対して変動し易いため、ワイヤーハーネス全体の正確な位置決めが困難であるという問題がある。
【０００６】
そこで、特許文献１は、電線束の分岐点を電線保持具に保持させたままの状態で結束バンドで結束する技術を開示している。また、特許文献１は、結束バンドをクリップに挿通することで、分岐部分にクリップを取付ける技術を開示している。
【０００７】
【特許文献１】特開２００５−２７４６３号公報
【発明の開示】
【発明が解決しようとする課題】
【０００８】
しかしながら、特許文献１に開示の技術では、一般的な三つ叉状の電線保持具で電線を保持した状態で結束バンドによる結束を行うため、結束バンドが電線保持具を巻込まないように注意深く結束バンドの結束作業を行う必要がある。また、結束バンドの締付け位置精度及びクリップの取付位置精度を正確に揃えるのが困難であるという問題がある。
【０００９】
そこで、本願出願人は、特願２００５−３２９１４９号において、保持具に、クリップ保持部と、結束バンドを案内する案内溝とを設けることで、クリップ及び結束バンドを簡易かつ正確に配置することができる技術を提案している。なお、本特願２００５−３２９１４９号は未公開である。
【００１０】
ところで、結束バンドを締付けする際には、分岐部分に対して結束バンドを離間方向に引張る必要があり、そのための作業領域が必要となる。しかしながら、特願２００５−３２９１４９号では、クリップ保持部が邪魔になって、結束バンドの締付け作業が困難となってしまう。ワイヤーハーネスの分岐部分を保持具から外せば、結束バンドの締付け作業は容易となるものの、この場合には、当初の布線形態からずれが生じ、寸法品質が安定し難いという問題がある。
【００１１】
そこで、本発明は、結束バンドの締付け作業及び固定具の取付を、より簡易かつ位置精度よく行えるようにすることを目的とする。
【課題を解決するための手段】
【００１２】
上記課題を解決するため、第１の態様は、分岐元線の途中から分岐線が分岐するワイヤーハーネスの分岐部分を結束するためのワイヤーハーネスの分岐部分結束用治具であって、前記分岐部分を載置状に支持可能な受部と、前記ワイヤーハーネス固定用の固定具を、前記受部で支持される前記分岐部分の分岐元線に対して前記分岐線とは反対側で位置決め支持可能な固定具支持部と、前記受部で支持される前記分岐部分の分岐線を案内支持する一対の支持棒と、を備え、前記受部には、結束バンドを前記固定具支持部に支持される前記固定具のバンド挿通孔に向けて案内する案内路が形成され、前記固定具支持部の端部側に、バンド締付け具を、前記結束バンドを締付ける位置に配置可能な締付作業領域が設けられているものである。
【００１３】
第２の態様は、第１の態様に係るワイヤーハーネスの分岐部分結束用治具であって、前記固定具支持部は、前記固定具の両側部分に係止して前記固定具を支持可能に形成され、前記固定具支持部の長さ寸法が、前記固定具のうち前記固定具支持部で係止される部分を越えると共に、前記固定具支持部で支持された前記固定具を越えない程度の寸法に設定されているものである。
【００１４】
第３の態様は、第１又は第２の態様に係るワイヤーハーネスの分岐部分結束用治具であって、前記固定具支持部は、前記固定具の鍔状部分の両側部分に係止するものである。
【００１５】
第４の態様は、第１〜第３のいずれかの態様に係るワイヤーハーネスの分岐部分結束用治具であって、前記一対の支持棒は、ワイヤーハーネスの直線状部分を保持可能に形成された略Ｕ字状の保持具の一部であり、前記受部と前記固定具支持部とは一体形成されると共に、前記受部に前記一対の支持棒を挿通可能な一対の装着孔が形成され、前記一対の支持棒が前記一対の装着孔に挿通されることで、前記受部と前記固定具支持部とが前記保持具に装着されたものである。
【００１６】
第５の態様は、第１〜第４のいずれかの態様に係るワイヤーハーネスの分岐部分結束用治具であって、前記案内路は、前記分岐線が延出する側に開口する前記結束バンド挿入用の導入口を有するものである。
【００１７】
第６の態様は、第１〜第５のいずれかの態様に係るワイヤーハーネスの分岐部分結束用治具であって、前記案内路は、一対の前記結束バンドを前記固定具支持部に支持される前記固定具のバンド挿通孔に向けて略平行姿勢で案内するものである。
【００１８】
第７の態様に係るワイヤーハーネスの製造方法は、第１〜第６のいずれかの態様に係る分岐部分結束用治具を用いたワイヤーハーネスの製造方法であって、前記分岐部分を前記受部で載置状に支持すると共に前記分岐線を前記一対の支持棒で案内支持する工程と、前記前記固定具を前記固定具支持部で支持する工程と、前記結束バンドを、前記案内路を経由して前記固定具のバンド挿通孔に通しつつ、前記分岐部分の両側で前記分岐元線周りに配設する工程と、前記分岐部分を前記受部で載置状に支持したままの状態で、前記バンド締付け具を前記締付作業領域に配設して、前記結束バンドを締付ける工程と、を備えたものである。
【発明の効果】
【００１９】
この第１の態様に係る分岐部分結束用治具によると、前記ワイヤーハーネス固定用の固定具を、前記受部で支持される前記分岐部分の分岐元線に対して前記分岐線とは反対側で位置決め支持可能な固定具支持部を備え、受部には、結束バンドを前記固定具支持部に支持される前記固定具のバンド挿通孔に向けて案内する案内路が形成されているので、固定具と結束バンドとを簡易かつ正確に配置することができる。
【００２０】
また、前記固定具支持部の端部側に、バンド締付け具を、前記結束バンドを締付ける位置に配置可能な締付作業領域が設けられているため、分岐部分を受部で支持しかつ固定具を固定具支持部で支持した状態で、バンド締付け具による結束バンドの締付けが可能である。このため、締付け作業時における分岐部分の浮き上がりを防止して、簡易かつ位置精度よく、結束バンドの締付け作業及び固定具の取付を行える。
【００２１】
また、第２の態様によると、前記固定具支持部は、前記固定具の両側部分に係止して前記固定具を支持可能に形成され、前記固定具支持部の長さ寸法が、前記固定具のうち前記固定具支持部で係止される部分を越えると共に、前記固定具支持部で支持された前記固定具を越えない程度の寸法に設定されているので、固定具をしっかりと支持しつつ、固定具支持部の端部側に締付作業領域を設けることができる。
【００２２】
第３の態様によると、固定具に鍔状部分を形成しておくことで、固定具の他の部分にダメージ等を与えることなく、当該鍔状部分を用いて固定具を位置決め支持することができる。
【００２３】
第４の態様によると、ワイヤーハーネスの直線状部分を保持可能に形成された略Ｕ字状の保持具に、受部及び固定具支持部を装着することで、分岐部分結束用治具を安価に提供できる。
【００２４】
第５の態様によると、前記案内路は、前記分岐線が延出する側方側に開口する前記結束バンド挿入用の導入口を有するため、案内路の屈曲度合が緩くなり、結束バンドを円滑に挿入できる。
【００２５】
第６の態様によると、前記案内路は、一対の前記結束バンドを前記固定具支持部に支持される前記固定具のバンド挿通孔に向けて略平行姿勢で案内するため、一対のバンドを略平行姿勢にして分岐部分を結束することができる。
【００２６】
第７の態様によると、前記分岐部分を前記受部で載置状に支持すると共に前記分岐線を前記一対の支持棒で案内支持する工程と、前記結束バンドを、前記案内路を経由して前記固定具のバンド挿通孔に通しつつ、前記分岐部分の両側で前記分岐元線周りに配設する工程とを備えているため、固定具と結束バンドを簡易かつ正確に配置することができる。
【００２７】
また、前記分岐部分を前記受部で載置状に支持したままの状態で、前記バンド締付け具を前記締付作業領域に配設して、前記結束バンドを締付けるため、締付け作業時における分岐部分の浮き上がりを防止して、簡易かつ位置精度よく、結束バンドの締付け作業及び固定具の取付を行える。
【発明を実施するための最良の形態】
【００２８】
以下、実施形態に係るワイヤーハーネスの分岐部分結束用治具及びワイヤーハーネスの製造方法について説明する。
【００２９】
まず、対象となるワイヤーハーネスの分岐部分を説明しておく。図１はワイヤーハーネスの分岐部分を示す平面図である。
【００３０】
すなわち、ワイヤーハーネスＷＨは、例えば、車両等の各種電気機器を相互接続する配線材であり、複数の電線が各種電気機器の配設位置や配線経路に応じた態様で分岐して結束される。なお、ワイヤーハーネスＷＨに含まれるのは、電線に限られず、光ファイバ等、他の配線が含まれていてもよい。本分岐部分結束用治具１０は、このようなワイヤーハーネスＷＨにおいて、分岐元線ＷＨａの途中から分岐線ＷＨｂが分岐する部分ＷＨｄ、即ち、３方向に分岐する部分ＷＨｄを保持して結束するために用いられる。分岐部分ＷＨｄは、略Ｔ字状に分岐する態様であっても、略Ｙ字状に分岐する態様であっても構わない。また、３方向に分岐する部分ＷＨｄのうち、いずれの２方向延在部分を分岐元線ＷＨａとして捉え、また、いずれの１方向延在部分を分岐線ＷＨｂとして捉えるかは任意である。例えば、３方向に分岐する部分のうち最も多くの電線を含む２方向延在部分が分岐元線ＷＨａで、残りの１方向に延びる部分が分岐線ＷＨｂであると捉えてもよいし、また、３方向に分岐する部分のうち直線状に延びる２方向延在部分が存在する場合（略Ｔ字状に分岐する場合等）には、その直線状に延びる２方向延在部分が分岐元線で、残りの１方向に延びる部分が分岐線であると捉えてもよい。
【００３１】
上記のような分岐部分ＷＨｄにおいて、分岐元線ＷＨａのうち分岐線ＷＨｂとは反対側の側面に固定具５０が配設される。また、分岐元線ＷＨａのうち分岐線ＷＨｂの両側部分で、固定具５０と共に結束するようにして、結束バンド６０が巻回固定されている。この結束バンド６０により、分岐部分ＷＨｄが上記分岐形態で結束保持される。また、その分岐部分ＷＨｄに固定された固定具５０を用いて、当該分岐部分ＷＨｄが車体等に固定される。
【００３２】
ここで、固定具５０の一例について説明しておく。図２は固定具を示す斜視図であり、図３（ａ）は固定具を示す平面図、図３（ｂ）は固定具を示す正面図、図３（ｃ）は固定具を示す底面図、図３（ｄ）は固定具を示す側面図である。
【００３３】
この固定具５０は、いわゆるワイヤーハーネス固定用のクランプ又はクリップとも呼ばれる部材であり、固定本体部５２と、皿状部５４と、鍔状部５６と、バンド挿通部５８とを有しており、樹脂等で一体形成されている。
【００３４】
固定本体部５２は、先端部が若干先細りになる概略楕円柱状に形成されており、その両側部に突出及び退避可能な係合片５２ａが形成されている。この固定本体部５２を、車体側等に形成された固定孔に挿入すると、係合片５２ａが一旦退避した後突出して固定孔周縁部に抜け止状に係止するようになっている。
【００３５】
また、皿状部５４は、固定本体部５２の基端部から先端側に向けて順次拡開する皿状（ここでは楕円皿状）に形成されており、弾性変形容易な薄手の皿状に形成されている。そして、上記のように固定本体部５２の係合片５２ａが固定孔周縁部に抜け止状に係止した状態で、係合片５２ａとは逆側から、皿状部５４が固定孔周縁部に当接して抜け方向に付勢する。これにより、固定具５０が当該固定孔に対して一定位置で固定されるようになっている。
【００３６】
また、上記皿状部の縮径部分側に、鍔状部５６が形成されている。鍔状部５６は、皿状部５４と略同程度の広がり（皿状部５４より大きくてもよい）を持つ鍔状、ここでは、楕円鍔状に形成されている。この鍔状部５６は、上記鍔状部５６よりも厚手に形成されており、本固定具５０を分岐部分結束用治具１０で支持する際の支持部分や、皿状部５４の保護、さらには、結束バンド６０をバンド挿通部５８に挿通する際の案内部分等として用いられる。
【００３７】
バンド挿通部５８は、鍔状部５６の外面に形成されており、結束バンド６０を挿通可能なバンド挿通孔５８ａを２つ有している。２つのバンド挿通孔５８ａは、仕切壁５８ｂによって仕切られた形態で、鍔状部５６の長軸方向に沿って並設されており、それぞれ鍔状部５６の短軸方向両側に開口している。バンド挿通孔５８の底面は、鍔状部５６の外面と面一状に形成されている。
【００３８】
結束バンド６０の一例についても説明しておく。図４（ａ）は結束バンドを示す正面図であり、図４（ｂ）は結束バンドを示す一部断面側面図である。
【００３９】
結束バンド６０は、線状体の束等を結束するためのものであり、樹脂等で形成されている。この結束バンド６０は、細帯状のバンド本体部６２と、バンド本体部６２の一端部に設けられた係止部６４とを有している。バンド本体部６２の他端部の一側面には、係止溝６２ａが形成されている。係止部６４は、バンド本体部６２を挿通可能な筒部６４ａと、筒部６４ａ内に形成された係止爪部６４ｂとを有している。そして、バンド本体部６２を線状体の束等に巻回した状態で、バンド本体部６２の他端部を筒部６４ａ内に挿通すると、係止爪部６４ｂが係止溝６２ａに係止して、線状体を束ねて保持できるようになっている。
【００４０】
ワイヤーハーネスの分岐部分結束用治具について説明する。図５は同分岐部分結束用治具に固定具をセットした状態を示す斜視図であり、図６（ａ）は同状態を示す平面図であり、図６（ｂ）は同状態を示す側面図であり、図６（ｃ）は同状態を示す正面図であり、図６（ｄ）は同状態を示す側面図であり、図６（ｅ）は同状態を示す背面図である。
【００４１】
この分岐部分用結束治具１０は、受部１４と固定具支持部２０とを有する分岐治具本体部１２と、一対の支持棒３２ａを有する保持具３０とを備えており、ワイヤーハーネスＷＨが組立られる組立板４０上に立設される。
【００４２】
保持具３０は、金属等で形成されており、直線状の棒状部分３１の上部に略Ｕ字状部分３２が形成された構成とされており、その略Ｕ字状部分３２の上端部が上記一対の支持棒３２ａを構成している。そして、この保持具３０に分岐治具本体部１２が装着された状態で、受部１４で支持される分岐部分ＷＨｄの分岐線ＷＨｂを一対の支持棒３２ａ間に通すようにして案内支持可能に構成されている。
【００４３】
なお、このような保持具３０は、上記分岐治具本体部１２が装着されない状態、即ち、それ単独でも、ワイヤーハーネスＷＨの直線状部分を略Ｕ字状部分３２内に通すようにして所定高さで保持可能に構成されている。
【００４４】
分岐治具本体部１２は、受部１４と固定具支持部２０とを樹脂等で一体形成した部材である。
【００４５】
受部１４は厚板状の部材であり、この受部１４に上記一対の支持棒３２ａを挿通可能な一対の装着孔１４ｈが形成されている。そして、一対の支持棒３２ａを一対の装着孔１４ｈに挿通することで、分岐治具本体部１２が保持具３０に装着されるようになっている。
【００４６】
また、このように受部１４が保持具３０に装着された状態で、受部１４は、一対の支持棒３２ａの根本近傍から側方に延出している。そして、分岐線ＷＨｂを上記一対の支持棒３２ａ間に通すようにして配設されるワイヤーハーネスＷＨの分岐部分ＷＨｄを、本受部１４上に載置状に支持できるようになっている。
【００４７】
また、受部１４と固定具支持部２０とは略Ｌ字状に連なっており、上記装着状態で、固定具支持部２０は、受部１４の一側部から一対の支持棒３２ａに対して略平行姿勢で上方に延出している。
【００４８】
この固定具支持部２０は、固定具５０を、受部１４で支持される分岐部分ＷＨｄの分岐元線ＷＨａに対して分岐線ＷＨｂとは反対側で位置決め支持可能に構成されている。ここでは、固定具支持部２０は、固定具５０の両側部分に係止して、即ち、固定具５０に形成された鍔状部５６に係止して位置決め支持可能に構成されている。より具体的には、固定具支持部２０は、一対の支持棒３２ａに対して同方向に延在する一対の位置決め部２２を有している。一対の位置決め部２２は、固定具５０の鍔状部５６の長軸方向寸法分の間隔をあけて立設されている。そして、鍔状部５６の長軸方向を一対の位置決め部２２間を結ぶ方向に揃えるようにした姿勢で、当該鍔状部５６を一対の位置決め部２２間に配設できるようになっている。また、一対の位置決め部２２の内向き部分のうち一対の支持棒３２ａ側の部分には、鍔状部５６の移動を規制する当接片２２ａが形成されている。そして、鍔状部５６を一対の位置決め部２２間に上記姿勢で配設すると、鍔状部５６が一対の支持棒３２ａ側への移動を規制された状態で係止状に支持されるようになっている。
【００４９】
なお、固定具５０は、一対の位置決め部２２の上方から挿入配置されるものであっても、外側方から挿入配置されるものであってもよい。
【００５０】
また、受部１４には、結束バンド６０を、上記固定具支持部２０に支持される固定具５０のバンド挿通孔５８ａに向けて案内する案内路１６が形成されている。
【００５１】
ここでは、上記２つのバンド挿通孔５８ａに対応して２つの案内路１６が形成されている。一対の案内路１６は、それぞれ断面略Ｕ字状の溝形状であり、受部１４の上面から固定具支持部２０に向けて略並列状態で延在している。各案内路１６の一端部は、受部１４に分岐部分ＷＨｄを載置した状態で、分岐線ＷＨｂが延出する側に開口している。なお、各案内路１６の一端部開口は、結束バンド６０を容易に挿入できるように、外方に向けて順次拡開している。また、各案内路１６の他端部は、固定具支持部２０に支持される固定具５０の挿通孔５８ａに向けて開口している。そして、結束バンド６０を、案内路１６の一端部開口に挿入し、当該案内路１６に沿って押込んでいくと、結束バンド６０の一端部が固定具５０のバンド挿通孔５８ａに向けて案内されて挿通されるようになっている。また、両案内路１６に対して結束バンド６０を挿通することで、各結束バンド６０が略平行姿勢で、各挿通孔５８ａに向けて案内されるようになっている。
【００５２】
また、上記固定具支持部２０の端部側（上端部側）には、バンド締付け具７０を、結束バンド６０を締付ける位置に配置可能な締付作業領域Ｅが設けられている。換言すれば、分岐部分ＷＨｄを受部１４上に載置すると共に固定具５０を固定具支持部２０に位置決め支持した状態で、分岐部分ＷＨｄに固定具５０と共に巻回された結束バンド６０を締付け可能となるように、上記固定具支持部２０の高さ、形状等が設定されている。
【００５３】
ここでは、固定具支持部２０の長さ寸法は、鍔状部５６が固定具支持部２０に係止状に当接する部分を超えると共に、固定具支持部２０で支持された固定具５０を超えない程度に設定されている。このように、固定具支持部２０の長さ寸法は、鍔状部５６が固定具支持部２０に係止状に当接する部分を超える程度にすることで、固定具５０をしっかりと位置決め支持できる。もっとも、固定具支持部２０の長さ寸法を、鍔状部５６の中心を超える程度に設定すれば固定具５０を位置決め支持できる。また、固定具支持部２０の長さ寸法を、固定具支持部２０で支持された固定具５０を超えない程度に設定することで、バンド締付け具７０を固定具支持部２０との干渉を抑制して、当該バンド締付け具７０で結束バンド６０をしっかりと締付けることができる。ここで、バンド締付け具７０としては、角筒状のヘッド部分の先端部に係止部６４を引っかけた状態で、バンド本体部６２の他端部をヘッド部分内に引込むようにして、当該結束バンドを締付ける工具であり、結束工具等として一般に流通しているものを用いることができる。
【００５４】
このように構成された分岐部分結束用治具１０を用いたワイヤーハーネスＷＨを製造方法について説明する。
【００５５】
まず、図７に示すように、複数の電線を所定の３方向分岐形態で、本分岐部分結束用治具１０上に配設する。これにより、ワイヤーハーネスＷＨの分岐部分ＷＨｄが本分岐部分結束用治具上に仮に構築される。これと同時に又は前後して、固定具５０を固定具支持部２０にセットする。
【００５６】
この状態で、図８に示すように、２つの結束バンド６０のバンド本体部６２の他端部を、受部１４の側方から各案内路１６内に挿入する。そして、各バンド本体部６２の他端部を、固定具５０のバンド挿通孔５８ａ内に通して上方に引出す。
【００５７】
この後、図９に示すように、各結束バンド６０を、分岐線ＷＨｂの両側で分岐元線ＷＨａに巻回し、バンド本体部６２の他端部を係止部６４内に通す。
【００５８】
そして、図１０に示すように、バンド締付け具７０を上記締付作業領域Ｅ近傍に配設し、バンド本体部６２の他端部をバンド締付け具７０に導いて所定の締結動作を実施すると、バンド本体部６２の他端部が係止部６４からさらに引張られ、分岐元線ＷＨａの締付け結束がなされる。これを両結束バンド６０に対して実施すると、図１に示すように、分岐元線ＷＨａが分岐線ＷＨｂの両側で結束バンド６０で締結固定されると共に、その結束バンド６０で固定具５０が固定された分岐部分ＷＨｄが得られる。
【００５９】
なお、ワイヤーハーネスＷＨの他の部分は、他の結束バンドや粘着テープ等、周知構成を含む種々の構成で結束することができる。
【００６０】
そして、このように製造されたワイヤーハーネスＷＨでは、固定具５０を車体等の固定孔に取付けて配設することができる。この場合、分岐部分ＷＨｄが直接的に車体等に固定されることになるため、当該固定部分を固定された基準点として、各分岐元線ＷＨａや分岐線ＷＨｂを取回して配線することができる。このため、ワイヤーハーネスＷＨを比較的正確に位置決めして配設することができる。
【００６１】
以上のように構成された分岐部分結束用治具１０及びワイヤーハーネスＷＨの製造方法によると、固定具５０を位置決め支持可能な固定具支持部２０を備えており、この受部１４には、結束バンド６０を固定具５０のバンド挿通孔５８ａに向けて案内する案内路１６が形成されている。このため、結束バンド６０を案内路１６に挿通することで、結束バンド６０を容易にバンド挿通孔５８ａに通して分岐元線ＷＨａに巻回すことができる。また、分岐部分ＷＨｄと結束バンド６０及び固定具５０との相互位置関係が一定に保たれるため、結束バンド６０と固定具５０とを分岐部分ＷＨｄに対して容易に正確な位置に配設することができる。
【００６２】
また、固定具支持部２０の端部側に、バンド締付け具７０を配置可能な締付作業領域Ｅが設けられているため、分岐部分ＷＨｄを受部１４で支持しかつ固定具５０を固定具支持部２０で支持した状態で、バンド締付け具７０による結束バンド６０の締付けが可能である。このため、締付け作業時における分岐部分ＷＨｄの浮上がりを防止して、簡易かつ位置精度よく、結束バンド６０の締付け作業及び固定具５０の取付を行える。
【００６３】
また、固定具支持部２０は、固定具支持部２０の鍔状部５６を支持しているため、固定具５０の他の部分、例えば、皿状部５４等にダメージを与えることなく、固定具５０を位置決め支持することができる。
【００６４】
また、ワイヤーハーネスＷＨの直線状部分を保持可能な略Ｕ字状部分を有する、汎用性ある保持具３０に、上記分岐治具本体部１２を装着することで、本分岐部分結束用治具１０を構成しているため、本分岐部分結束用治具１０を比較的安価に提供できる。
【００６５】
また、案内路１６は、分岐線ＷＨｂが延出する側方側に開口する結束バンド６０挿入用の導入口を有するため、案内路１６の屈曲度合が比較的緩くなる。ここでは、１カ所で略９０度に緩やかに曲げればよい。このため、案内路１６で結束バンド６０を曲げる度合が少なくなり、結束バンド６０を円滑に挿入できる。
【００６６】
また、一対の案内路１６が、一対の結束バンド６０を略平行姿勢にして案内するため、当該結束バンド６０を略平行姿勢にして分岐部分ＷＨｄ周りに配設して結束できる。ここで、一対の結束バンド６０が交差していると、交差状態の変動により締結状態が不安定になる恐れがある。これに対して、一対の結束バンド６０を略平行姿勢で結束されていると、比較的結束状態が安定するという効果がある。
【００６７】
｛変形例｝
なお、上記実施形態では、保持具３０に、これとは別体とされた分岐治具本体部１２を装着する構成で説明したが、これらは全て一体化されていてもよい。また、適宜別々に構成されて合体する構成であってもよい。
【００６８】
また、固定具支持部２０による固定具５０の位置決め支持構成は上記例に限られない。固定具５０の構成等に応じて、固定具支持部２０による位置決め支持構成は適宜変更可能である。固定具支持部２０は、少なくとも、分岐部分ＷＨｄに近接する方向（つまり、分岐線ＷＨｂが延出する方向）に固定具５０を位置決め支持できる構成であればよい。
【図面の簡単な説明】
【００６９】
【図１】ワイヤーハーネスの分岐部分を示す平面図である。
【図２】一例に係る固定具を示す斜視図である。
【図３】図３（ａ）は固定具を示す平面図、図３（ｂ）は固定具を示す正面図、図３（ｃ）は固定具を示す底面図、図３（ｄ）は固定具を示す側面図である。
【図４】図４（ａ）は一例に係る結束バンドを示す正面図であり、図４（ｂ）は結束バンドを示す一部断面側面図である。
【図５】実施形態に係るワイヤーハーネスの分岐部分結束用治具に固定具をセットした状態を示す斜視図である。
【図６】図６（ａ）は同上の状態を示す平面図であり、図６（ｂ）は同上の状態を示す側面図であり、図６（ｃ）は同上の状態を示す正面図であり、図６（ｄ）は同上の状態を示す側面図であり、図６（ｅ）は同上の状態を示す背面図である。
【図７】ワイヤーハーネスの製造工程を示す図である。
【図８】ワイヤーハーネスの製造工程を示す図である。
【図９】ワイヤーハーネスの製造工程を示す図である。
【図１０】ワイヤーハーネスの製造工程を示す図である。
【符号の説明】
【００７０】
１０  分岐部分用結束治具
１２  分岐治具本体部
１４  本受部
１６  案内路
２０  固定具支持部
２２  位置決め部
３２    略Ｕ字状部分
３２ａ  支持棒
３０  保持具
４０  組立板
５０  固定具
５６  鍔状部
５８ａ  バンド挿通孔
６０  結束バンド
７０  バンド締付け具
Ｅ  締付作業領域
ＷＨ  ワイヤーハーネス
ＷＨａ  分岐元線
ＷＨｂ  分岐線
ＷＨｄ  分岐部分
【図１】
2008282704.tif 000003
【図２】
2008282704.tif 000004
【図３】
2008282704.tif 000005
【図４】
2008282704.tif 000006
【図５】
2008282704.tif 000007
【図６】
2008282704.tif 000008
【図７】
2008282704.tif 000009
【図８】
2008282704.tif 000010
【図９】
2008282704.tif 000011
【図１０】
2008282704.tif 000012